【事件の表示】
　特願２００２−２８８４３８「放送システム、記録装置、記録方法、プログラム、記録媒体」拒絶査定不服審判事件〔平成１６年　４月２２日出願公開、特開２００４−１２８７７９〕について、次のとおり審決する。
【結　論】
　本件審判の請求は、成り立たない。
【理　由】
【第１】経緯（手続・本願発明・査定）
　
［１］手続の概要
　
　　本願は、平成１４年１０月１日の出願であって、手続きの概要は以下のとおりである。
　
　手続補正（明細書の補正）：平成１６年　４月１９日
　拒絶理由通知　　　　　　：平成１７年　７月　８日（起案日）
　意見書　　　　　　　　　：平成１７年　９月１６日
　手続補正（明細書の補正）：平成１７年　９月１６日
　拒絶査定　　　　　　　　：平成１７年１１月１５日（起案日）
　拒絶査定不服審判請求　　：平成１７年１２月２２日
　手続補正（明細書の補正）：平成１８年　１月２３日
　前置報告　　　　　　　　：平成１８年　２月２４日（起案日）
　当審拒絶理由通知　　　　：平成２０年　７月２３日（起案日）
　意見書　　　　　　　　　：平成２０年　９月２９日
　手続補正（明細書の補正）：平成２０年　９月２９日
　
［２］査定
　
　原査定の理由は、概略、以下のとおりである。
　
　〈査定の理由〉
　本願の各請求項に係る発明は、下記刊行物（引用例）に記載された発明及び周知技術に基づいて当業者が容易に発明をすることができたものであるから、特許法第２９条第２項の規定により、特許を受けることができない。
　　　　　記
　引用例１：特開２０００−２５０９４４号公報
　引用例２：特開２００１−１６７４９１号公報
　引用例３：特開２００２−８４４６９号公報
　引用例４：特開平１１−１２７４１１号公報
　
【第２】本願発明
　
　本願の請求項１から請求項１０までに係る発明は、本願明細書および図面（平成１６年４月１９日付け、平成１７年９月１６日付け、平成１８年１月２３日付けおよび平成２０年９月２９日付けの各手続補正書により補正された明細書および図面）の記載からみて、それぞれ、その特許請求の範囲の請求項１から請求項１０までに記載したとおりのものであるところ、そのうち、請求項２に係る発明（本願発明ともいう）は、下記のとおりである。
　
　　　　　記（本願発明（【請求項２】））
　
放送チャンネルごとに
と、
　
録画予約された番組情報に基づき所定の放送時間に所定の放送チャンネルの上記コンテンツデータと上記分類識別情報との受信が行われるように上記受信手段を制御する受信制御手段と、
　上記受信手段により受信される分類識別情報と、予め指定された分類識別情報との一致を検出する検出手段と、
　上記受信手段により受信されるコンテンツデータのうち、上記検出手段により一致が検出された分類識別情報に対応するデータ部分のみが記憶手段に対して記録されるよう制御する記録制御手段と、
　を備え
る記
　
【第３】当審の拒絶の理由の通知
　
　当審が平成２０年７月２３日付けで通知した拒絶の理由の概略は、以下のとおりである。
　なお、平成２０年９月２９日付け手続補正により、請求項３が削除され同補正前の請求項４〜１１は、同補正後の請求項３〜１０にそれぞれ繰り上がったので、同補正後の請求項番号を（）内に示した。
　
　〈当審が通知した拒絶の理由〉
　　　　理由Ａ（特許法第２９条第２項）
　本件出願の請求項１〜１１（平成２０年９月２９日付け手続補正後の請求項１〜１０）に係る発明は、その出願前日本国内において頒布された下記刊行物１〜刊行物６に記載された発明に基づいて、その出願前にその発明の属する技術の分野における通常の知識を有する者が容易に発明をすることができたものであるから、特許法第２９条第２項の規定により特許を受けることができない。　
　
　　　　　　　　記（引用刊行物）
　刊行物１：特開２００１−１３４９９８号公報
　刊行物２：特開２００２−１２５２０４号公報
　刊行物３：特開２０００−２５０９４４号公報
　
　刊行物４：特開２００１−８６４２０号公報
　刊行物５：特開平１１−１６８６６７号公報
　刊行物６：特開２０００−１３８８８６号公報
　
　　　　理由Ｂ（特許法第３６条第６項１号２号）
　本件出願は、特許請求の範囲の請求項３（平成２０年９月２９日付け手続補正により削除）の記載が不備と認められるから、特許法第３６条第６項１号および２号に規定する要件を満たしていない。
　
　
【第４】当審の判断
　
［１］刊行物の記載
  　
　当審の拒絶の理由（理由Ａ）において引用した上記刊行物１〜３には、各々、以下の記載が認められる。
　
（１）刊行物１：特開２００１−１３４９９８号公報
　
　〈技術分野〉
　(K1.1)「【０００１】
【発明の属する技術分野】本発明は、映像の記録に関するもので、特に、放送番組及び特定シーンの録画に関するものであり、アナログ放送記録システム及びディジタル放送記録システムに利用され、さらにインターネット放送記録システム等に利用可能なものである。
　
　〈従来技術〉
　(K1.2)「【０００２】
【従来の技術】従来のアナログ放送記録システム、ディジタル放送記録システム、インターネット放送記録システム等のテレビ放送の記録システムとして、テープ使用のビデオレコーダー、パソコン、光ディスクビデオレコーダー、ホームサーバがある。
 【０００３】従来の録画予約方法は、一般的に普及しているビデオレコーダーを用いると番組表を確認しビデオデッキに見たい番組のチャンネルと開始終了時間を入力する必要がある。また、Ｇコードを用いてある特定の数字を打ち込むことで番組全体を予約することができる。また、パソコンでテレビ放送を録画する場合、ｗｅｂ上の番組表をクリックすることで番組の予約ができる。ホームサーバでは全ての番組を蓄積すれば予約する必要がない。また、ディジタル放送の番組表として電子プログラムガイド（ＥＰＧ）があり、番組表を調べ見たい番組をチェックすることで録画予約ができる。
【０００４】録画した番組の検索は、テープ型ビデオレコーダーでは番組ごとの頭出しは容易に行えるが番組内で見たいシーンを検索するのは時間がかかる。光ディスクビデオレコーダーでは録画済みの画像の検索がテープ型に比べて素早く検索できる特徴がある。ホームサーバで全ての番組が録画されている場合はその中から見たい番組を時間をかけて検索することで番組を見ることがでさる。」
　
　〈解決しようとする課題・目的〉
　(K1.3)「【０００５】
【発明が解決しようとする課題】前記従来の録画システムでは、番組表を確認し、手動で録画予約せざるを得なかったので効率が悪いという問題があった。その結果、忙しいときや、うっかりしていた時に自分の見たいジャンルの番組や好きなアーティストがでている番組を見逃してしまうこともあった。
【０００６】また、ホームサーバを用いて全番組を録画しておけば見たいときに見たい番組が見られるが、多くの映像を蓄積する反面見たい映像を検索するのに時間がかかり、蓄積装置を多く使う問題がある。またディジタル放送により多チャンネル化が進んでいるが、数百チャンネルの番組があればすべての番組表一つ一つに目を通すことは困難であった。
【０００７】また、見たい番組を録画した後、ＣＭを飛ばして見ることも多く、関係ないところは早送りするなど番組の中で本当に見たいシーンを検索しなければならない問題があった。
【０００８】本発明の目的は、番組表を見ずに自分の見たい番組及び特定のシーンだけを自動的に録画することが可能な技術を提供することにある。
【０００９】本発明の他の目的は、蓄積装置を無駄に使用するのを防ぐことが可能な技術を提供することにある。本発明の前記ならびにその他の目的と新規な特徴は、本明細書の記述及び添付図面によって明らかにする。」
　
　〈課題を解決するための手段〉
　(K1.4)「【００１０】
【課題を解決するための手段】本願において開示される発明のうち、代表的なものの概要を簡単に説明すれば、以下のとおりである。
（１）映像、番組データを入力する入力手段と、該入力手段から送られてきた映像を記録する録画手段と、視聴者が見たい番組の条件を管理する登録手段と、録画スケジュールを作成する録画スケジュール作成手段と、前記録画手段を制御する録画制御手段と、録画手段で記録された映像を再生する再生手段と、映像を表示する表示手段と、前記再生手段を制御する再生制御手段と、該再生制御手段を操作する再生装置操作手段とを具備する番組及び特定シーンの自動録画装置である。
【００１１】（２）前記手段（１）の自動録画装置において、前記入力手段は、ディジタル映像信号を映像と番組データに分離する分離手段を具備する。
【００１２】（３）前記手段（１）の自動録画装置において、前記録画スケジュール作成手段は、登録データと番組データが一致するか判断する手段と、一致していれば予約予定の番組データを録画スケジュールに追加する手段と、登録データが残っているかどうかを調べる手段を具備する。
【００１３】（４）前記手段（１）の自動録画装置において、前記録画制御手段は、録画スケジュールにある録画予約番組の開始時間が現在時刻になったか調べる手段と、時間になったら録画手段に録画命令を出す手段と、録画命令が終わったら録画スケジュールから録画予約番組を削除する手段を具備する。以下、本発明について、図面を参照して実施の形態（実施例）とともに詳細に説明する。」
　
　〈実施の形態〉
　〈概略〉
　(K1.5)「【００１４】
【発明の実施の形態】図１は、本発明による一実施形態の番組及び特定シーンの自動録画装置の概略構成示すブロック構成図あり、１０１は映像、番組データ（ＥＰＧ）を入力する入力手段、１０２は入力手段１０１から送られてきた映像を記録する録画手段、１０３は録画スケジュールを作成する録画スケジュール作成手段、１０４は前記録画手段１０２を制御する録画制御手段、１０５は視聴者が見たい番組の条件を管理する登録手段、１０６は蓄積媒体、１０７は入力データが登録された登録データである。
【００１５】図２は、本実施形態の入力手段の概略構成を示す図、図３は、本実施形態の録画スケジュール作成手段の処理手順を示す流れ図、図４は、録画制御手段の動作説明するための図である。
【００１６】本実施形態の番組及び特定シーンの自動録画装置は、図１に示すように、アナログ放送、ディジタル放送、インターネット放送等の映像と、番組データ（ＥＰＧ）が入力手段１０１に入力される。ここで、ＥＰＧとは電子プログラムガイドのことで番組データを電子的に配布されるものである。」
　
　〈番組視聴予約・録画予約〉
　(K1.6)「【００１７】ＥＰＧを見ながら番組欄をチェックすることで番組視聴予約と共に録画予約もできる。一般的に、新聞雑誌などの番組を電子的に入力するには、例えば、番組表のＣＤ-ＲＯＭなど用いてＥＰＧを入力手段１０１に入力される。また映像とＥＰＧが一緒に送信されるＢｉｔｃａｓｔのようなものもある。この場合入力手段１０１の分離手段２０１において映像とＥＰＧとに分離する。この装置で使われるＥＰＧは、番組の内容を従来の番組表より詳細に記述されているものとし、放送される番組ごとに記述されている。これにより視聴者の細かい要望にあった録画が可能である。
【００１８】図５にＥＰＧの構成例を示す。図５の番組データは番組設定項目と出演者タイムテーブルで構成される。番組設定項目は放送される番組の様々なデータが記述される。また、出演者タイムテーブルは番組に出演している出演者名と出演する時間が記述される。視聴者が見たい番組を登録する登録データは図５の番組データの番組設定項目と同じフォーマットである。視聴者はあらかじめ見たい番組、見たい俳優、見たい映画監督などを登録データに登録しておく。例えば、視聴者は格闘技番組と、俳優Ａが出てくる番組がみたいなら２つの登録データを用意し、図６に示すように、１つ目の番組カテゴリの欄に格闘技、２つ目の登録データの出演者の項目に俳優Ａを記述しておく。さらに、俳優Ａを見たい場合でも俳優Ａが出演する番組を放送開姑時刻から終了時刻までを録画したいのか、それとも俳優Ａが出演するシーンだけを録画したいのかを指定できる。
【００１９】これは番組設定項目の出演者シーンの項目を“有”にしておくことで、あらかじめ出演者タイムテーブルに記述されている俳優Ａの出演するシーンのみを録画でき、無駄な手段分を録画せずにすむ。また、この項目を“無”にしておくことで俳優Ａの出演する番組の放送開姶時刻から終了時刻までを録画することもできる。」
　
　〈録画スケジュール作成〉
　(K1.7)「【００２０】Ｂｉｔｃａｓｔなどで入力された映像とＥＰＧに対して、図２の分離手段２０１において、映像とＥＰＧに分離される。分離された映像は録画手段１０２に送られ、ＥＰＧは録画スケジュール手段１０３に送られる。また、例えばパソコンでｗｅｂ上から番組を選択するときのように、映像とＥＰＧが分離されている。この場合は、録画手段１０２、録画スケジュール手段１０３に直接送られる。
【００２１】前記録画スケジュール作成手段１０３では、入力手段１０１の分離手段２０１で分離されたＥＰＧの番組設定項目と登録手段１０５からの登録データが一致するか判断する。ここでは出演者を例にとって説明するが、ほかの項目に対しても同様のスケジュール作成が可能であることは言うまでもない。まず、登録データの出演者シーンが“有”または“無”かどうかをチェックする（Ｓ３０１）。出演者シーンの項目が“有”ならば登録データに登録されている出演者と、番組データの出演者が一致しているかどうか調べる（Ｓ３０２）。一致するならば出演者タイムテーブルを参照し、出演者が出演する時間だけを録画スケジュールに追加する（Ｓ３０３）。登録データの出演者シーンの項目が“無”ならば登録データと番組データが一致するかどうか調べ（Ｓ３０４）、登録データと番組データが一致したら番組データを録画スケジュールに追加する（Ｓ３０３）。
【００２２】前記ステップＳ３０２及びステップＳ３０４において、一致していない場合には、登録データが残っているか調べ（Ｓ３０５）、登録データが残っていれば、ステップＳ３０１に戻り、前記処理を繰り返し、登録データが残っていなければ、処理は終了する。」
　
　〈録画制御その１〉
　(K1.8)「【００２３】前記録画制御手段１０４は、図４に示すように、前記録画スケジュール作成手段１０３で作成された録画スケジュールを受け取り、録画スケジュール内の録画予定番組の録画時間がきたら録画手段１０２に入力手段１０１からの放送映像を記録するように指令を出す（４０１、４０２）。」（段落【００２３】前半）
　
　〈録画制御その２〉
　(K1.9)「また、ディジタル放送では映像とシーンを記述したデータが同時に送られてくる。このデータに番組の情報が付随して送られてくる時、この情報を用いて動的に録画を制御することが可能になる。例えば、野球の中継では自分の見たいバッターがいつ登場してくるかはわからない。自分の見たいバッターだけを録画したい場合、登録手段１０５の登録データの番組カテゴリに“野球”を登録しておく、そして出演者に“バッターＡ”を登録しておく、それが録画スケジュール作成手段１０３によって録画スケジュールが作成される。録画スケジュールは図７に示すように注目シーンに“バッターＡ”が記述される。放送中随時送られてくるデータを利用して録画制御手段がバッターＡの放送の時だけ録画指令を録画手段１０２に出すことでバッターＡのシーンだけを録画可能である。この方法はもちろん野球だけでなく他のライブ放送にも適応可能である。」（段落【００２３】後半）
　
　(K1.10)「【００２５】前記本実施形態の番組及び特定シーンの自動録画装置によれば、登録手段に見たい番組及びシーンを記述しておくことで、録画スケジュール作成手段が自動でＥＰＧとの比較を行い録画予定番組スケジュールが生成され、録画制御手段によって自動で録画されるので、番組表をチェックしなくても好きな人の出ている番組、見たい番組のカテゴリ、見たい俳優、歌手など本当に見たいところだけを効率よく自動録画することが可能となる。見たい番組、シーンを見逃すことがなくなり番組のスケジュール管理が楽になる。また、見たいシーンのみを録画してあるので、録画後見る番組を検索する必要もない。」
　
　（２）刊行物２：特開２００２−１２５２０４号公報
　
　(K2.1)「【０００２】
【従来の技術】近年、画像処理技術、とりわけ画像情報、音声情報の圧縮技術は、めざましい発展を遂げており、視聴者が受信装置に求めるアプリケーション（再生方法、録画予約方法、電子番組表等）に対し、より多くの対応が可能になってきた。図３に、このシステムの基本概要を示し、以下にて説明する。図３は、放送局１、電波信号２、一般家庭３、受信アンテナ４、受信装置５、蓄積装置６、モニタ７より構成される。放送局１は、放送する映像や音声を圧縮多重してＭＰＥＧ２のトランスポートストリーム(ＴＳ)を生成変調し、電波信号２として視聴者側に送信する。電波信号２とは、衛星を用いたＢＳデジタル放送、地上波放送、またはＦＰＵ(Field Pick-up Unit)等の移動体放送などに用いられる電波を示す。一般家庭３では、上記電波信号２を受信アンテナ４で受信復調し、ＴＳを復元して、ＴＳ８と伝送クロック９を受信装置５に伝送する。  受信装置５は、受信したＴＳ８を解析し、圧縮データを復号してビデオ信号１１、オーディオ信号１２をモニタ７に出力再生する。蓄積装置６は、ＴＳ１０と伝送クロック３０を得て、視聴者が設定する時刻情報５０に基づき、蓄積、所謂録画を開始または終了する。」
　
　(K2.2)「【０００８】
【発明が解決しようとする課題】従来技術におけるシステムにおいて、例えば午後８：００〜午後９：００迄の番組を録画しようとした場合の録画方法は、視聴者が受信機に対し録画開始時刻である午後８：００と終了時刻である午後９：００を設定する方法であった。そのため、番組中のあるイベント（例えば、２４時間ＴＶ内のマラソンのコーナー部分）のみ録画したい場合でも、上記マラソンのコーナーの開始終了時間を把握していない限り、上記番組一つ全て録画する必要があった。また、ある番組の録画予約を行なったが、上記番組の前のナイター中継が延長したため、目的の番組の半分しか録画できなかったという事もある。本発明は、これらの欠点を除去し、送信されてくるビデオ圧縮データ中のピクチャデータのピクチャヘッダに上記ピクチャに関連する情報を付加し、受信側が上記情報の検索によって録画する目的の映像を探索抽出し、上記映像をトリガとした再生と録画を可能にする事を目的とする。」
　
　(K2.3)「【０００９】
【課題を解決するための手段】本発明は、上記の目的を達成するため、・・・（中略）・・・である。また、送信側からビデオ圧縮データ、オーディオ圧縮データ、制御情報等を時分割パケット多重したＭＰＥＧ−２のトランスポートストリームとして送出する伝送システムにおいて、送信側で、上記ビデオ圧縮データの基本構成を担うピクチャデータ(圧縮されたピクチャ単位のデータ)のピクチャヘッダ内に存在するプライベートデータ領域に、当該所定のピクチャに関する情報(ピクチャ情報)または当該所定のピクチャが関連する映像群(放送番組や番組内の各イベント等)の情報(イベント情報)を付加し、受信側で、受信した上記トランスポートストリーム内の多重されたビデオ圧縮データから、再生録画すべき映像を上記ピクチャ情報またはイベント情報を検索する事で探索し、再生録画すべき映像のみを抽出して再生または録画するようにしたものである。これにより、従来の時刻基準の再生録画ではなく、映像、所謂ピクチャ単位を基準とした再生録画が可能になる。」
　
　(K2.4)「【００１０】
【発明の実施の形態】従来技術におけるシステムの再生録画開始終了の基準は、記録再生装置に対し視聴者が設定する時刻である。  これに対し、本発明の再生録画開始終了の基準は、ピクチャ、所謂映像である。つまり、本発明は、送信側において、ピクチャヘッダに、所定のピクチャ情報またはイベント情報を付加すると共に、あらかじめ視聴者に対して、電子番組表(ＥＰＧ)または新聞等のメディアにて、この映像にはこのピクチャ情報あるいはイベント情報が付加されてるという情報を知らせる。視聴者は上記情報を基に、目的とする映像のビクチャ情報またはイベント情報を受信機に設定する形で目的の映像を検索抽出し、上記映像をトリガとする再生や録画を実現する。ここで、図１を用いて各ピクチャに関する情報の付加について、図２を用いて本発明の蓄積装置について説明する。例えば、１時間番組を放送しているとする。  この１時間番組は、まず初めにオープニングコーナー(イベントＡとする)、中間部に議論・討論コーナー（イベントＢとする）、最後にエンディングコーナー(イベントＣとする)と３つのイベントに分かれているものとする。  視聴者は、新聞等で上記番組の開始終了時刻を把握していても、上記３つのイベントそれぞれの開始終了時間までは把握していない。  ましてや、これが生放送であれば、なおさらである。図１に、本発明における放送中のＴＳ及びビデオ圧縮データのストリーム構成を示し、説明する。本発明では、送信側において、例えば、イベントＡに関連した映像、いわゆるそのピクチャのピクチャヘッダのプライベートデータ領域に“Ｐｉｃ○１”という情報を付加する。また、イベントＢに関連した映像、いわゆる、そのピクチャのピクチャヘッダのプライベートデータ領域に、“Ｐｉｃ○２”という情報を付加する。また、イベントＣに関連した映像、いわゆる、そのピクチャのピクチャヘッダのプライベートデータ領域に“Ｐｉｃ○３”という情報を付加する。
【００１１】図２の蓄積装置７０は、ゲート７０−１、ピクチャ・イベント(Picture-Event)情報検出部７０−５、蓄積媒体７０−２より構成される。以下、本発明の蓄積装置７０の動作について具体的に説明する。例えば、視聴者が蓄積装置７０に対し、“Ｐｉｃ○２”を設定すると、受信側は“Ｐｉｃ○２”が付加されているピクチャ、所謂イベントＢを構成するピクチャをＴＳ中から検索探索し、上記ピクチャのみを蓄積媒体７０−２に書き込む。したがって、イベントＢの映像、所謂議論・討論コーナーのみを録画することになる。  よって目的の映像のみを録画することが可能になる。・・・（以下略）」
　｛なお、本審決における「○１」、「○２」等の表記は、記号「○の中に数字を入れた記号」を示すものである。（情報処理システムの能力上、同記号を表すことができないことによる。）以下、同様。｝
　
　（３）刊行物３：特開２０００−２５０９４４号公報
　
　(K3.1)「【０００６】
【発明が解決しようとする課題】従来の番組提供者側から提供されてくる膨大な数の番組を個人の好みに合わせて自動的に選択するシステムにおいては、選択は番組単位であり、大雑把な選択しかできないという問題点がある。例えば、ニュースやバラエティ等の番組を考えてみると、これらの番組においては、一つの番組は“トピックス”や“コーナ”という単位で構成されており、ユーザにとっては一つの番組中における映像の一部のみに関心があると云ったケースは少なくない。しかし、番組単位の自動録画であるので、一つの番組の最初から最後まで全てが選択されて録画されてしまい、ユーザは番組全てを見ないと本当に関心のある情報が番組のどこの部分に含まれているのかが分からない。従って、せっかくフィルタリングし選択した録画番組であっても、録画された一つの番組の最初から最後まで全てを視聴しなければならず、録画媒体の使用量、ユーザの時間の観点から無駄が多いという問題があった。
【０００７】略
【０００８】さらに、従来の視聴調査は番組単位であり、ユーザの好み等を把握するには不十分であった。
【０００９】そこで、本発明の目的は下記の情報提供方法、情報提供装置、情報受信装置、並びに情報記述方法を提供することにある。
【００１０】第１の目的は、多くのマルチメディア情報中から番組単位ではなく、ユーザが本当に関心のある部分のみを的確に選択して提供できる情報提供方法、情報提供装置、並びに情報受信装置を得ることである。」
　
　(K3.2)「【００１４】
【課題を解決するための手段】上記した課題を解決し目的を達成するために、本発明は以下に示す手段を用いている。
【００１５】（１）マルチメディア情報に対して情報の区分単位毎に属性を付してデータベース化し、ユーザプロファイルと属性とのマッチングによりデータベースからユーザの好みに合ったマルチメディア情報の部分情報を検索し、検索した部分情報をユーザに提供する情報提供方法。
【００１６】（２）マルチメディア情報を格納する第１のデータベースと、動画像解析、音響・音声解析、テキスト解析の少なくとも一つの解析手法を用いて上記マルチメディア情報を解析し、解析結果に応じて上記マルチメディア情報を区分し、該区分毎に求められる属性、もしくは外部より入力される属性を格納する第２のデータベースと、ユーザプロファイルに応じて第２のデータベースを検索して、所定の属性を抽出し、上記第１のデータベース内のマルチメディア情報のうちの該抽出した属性に応じたマルチメディア情報の部分情報を選択する検索部とを具備する情報提供装置。
【００１７】（３）マルチメディア情報を、区分単位毎の動画像解析、音響・音声解析、テキスト解析の少なくとも一つの解析結果である属性、もしくは外部より入力される属性と格納するデータベースを有する情報提供サーバに接続される情報受信装置において、ユーザプロファイルに応じて上記データベースを検索して、所定の属性を抽出し、上記データベース内のマルチメディア情報のうちの該抽出した属性に応じたマルチメディア情報の部分情報を選択する検索部を具備する情報受信装置。
【００１８】略
【００１９】略
【００２０】本発明によれば、マルチメディア情報に対して、動画像解析、音響・音声解析、テキスト解析の少なくともいずれかによって、映像がどのような内容であるかを示す属性を取得し、その属性に基づいて情報を細かく区分し、区分単位で管理できるようにしているので、予め登録されたユーザプロファイルに基づいて、該当する部分映像を選択することができる。」
　
　(K3.3)「【００２４】
【発明の実施の形態】以下、図面を参照して本発明による情報提供方法、情報提供装置、情報受信装置、並びに情報記述方法の実施形態を説明する。
【００２５】第１実施形態
図１は本発明の第１実施形態に係る情報提供装置の基本構成を示す図である。ランダムアクセス可能なメディアからなるマルチメディア情報データベース１０１、コマーシャルメッセージ（ＣＭ）データベース１０８、番組属性データベース１０３、ＣＭ属性データベース１０９、ユーザプロファイルデータベース１０４が設けられる。なお、これらのデータベースの分類は説明の便宜上のものであり、物理的には１つのデータベースでも構わない。
【００２６】マルチメディア情報データベース１０１は提供する多数のマルチメディア番組情報を格納する。ＣＭデータベース１０８は無料番組とともに提供する多数のＣＭ情報を格納する。ＣＭ情報の内容を示すＣＭ属性が１つのＣＭ情報毎にＣＭ属性データベース１０９に格納されている。
【００２７】マルチメディア情報は、放送局やインターネットの情報提供者が提供する多数の番組である。これらがアナログデータの場合は、予めディジタルデータに変換され、マルチメディア情報データベース１０１に管理格納されている。ディジタルデータの形式としてはＭＰＥＧ−２形式による圧縮データでも良いし、ＤＶ圧縮形式データのものでも良い。マルチメディア情報は、番組毎に“タイトル名”が付与され、番組内のフレーム毎に“フレーム番号”が付与され、タイトル名とフレーム番号を与えれば、任意の位置からアクセス可能なメデイア、たとえば、ハードデイスクに格納されている。・・・（以下略）
【００２８】マルチメディア情報データベース１０１の出力が属性抽出部１０２に供給される。属性抽出部１０２はマルチメディア情報データベース１０１に保持されている全情報について所定の解析処理を施し、解析結果に応じて情報を区分し、この区分単位（例えば、フレーム単位）毎にその内容を示す番組属性を付与するものである。番組属性は番組属性データベース１０３で、各区分単位毎に管理される。」
　
　(K3.4)「【００４８】以下では、個々の処理についての一実現方法を詳細に述べていく。
【００４９】属性抽出部１０５の処理の詳細を図３を参照して説明する。図３は、属性抽出部１０２の処理を詳細に説明する処理フローである。
【００５０】属性抽出部１０２では、マルチメディア情報データベース１０１に格納されているマルチメディア情報全てを解析し、番組単位ではなくフレーム単位で情報の解析を行い、属性を得ることができる。
【００５１】〜【００６３】略
【００６４】これにより、解析結果は例えば、図４のようなテーブルとなって生成される。すなわち、図４では、番組のタイトルが“ニュース”、そして、属性としてのキーワードとして登場人物や状況を表す“政治”、“経済”、“天気予報”があり、それぞれのキーワードに関係ある画面の登場時間（フレーム）として“０：００−０：１５”、“０：１５−０：１６”、“０：２３−０：２５”がピックアップされたテーブルとなっている。つまり、番組のタイトル毎に映像を時間（フレーム）で分割し、その間に出現した重要なキーワード（属性）が付与されたテーブルとなっている。」
　
　(K3.5)「【００８４】以上説明したように本実施形態によれば、マルチメディア情報を格納するデータベースと、データベースから提供されるマルチメディア情報に対して、動画像解析、音響・音声解析、テキスト解析の少なくとも一つの解析手法を適用し、解析結果に基づいてマルチメディア情報を区分し、区分単位で解析結果を管理しておく。そして、ユーザプロファイルに応じて解析結果を検索し、ユーザの好みに応じたマルチメディア情報の部分情報を選択し、選択された部分画像をユーザへ提供する。
【００８５】これにより、多くのマルチメディア情報中から番組単位ではなく、ユーザが本当に関心のある部分のみを的確に選択して提供できる情報提供方法、情報提供装置、情報受信装置、並びに情報記述方法が提供される。この結果、ほんの一部分のみが視聴したい番組なのに、番組全体が録画、もしくは視聴の対象になっていたという従来例の欠点を解消することができる。」
　
　(K3.6)「【０１０５】
【発明の効果】以上説明したように、本発明によれば、一つの番組をまるごと録画したり、再生することなく、番組を視聴するユーザが真に必要とする部分の映像のみを録画、または再生することが可能となる。また、部分映像（区分単位の映像）どうしを関連付けて再構成すれば、見た目にもわかり易い表示ができる。さらに、コマーシャルメッセージも同様にユーザの好みに応じて選択的に提供するので、映像の一部のみを選択して録画、または視聴対象にした場合、番組提供者側が視聴して欲しいコマーシャルメッセージがカットされてしまうという従来の欠点も解決できる。」
　
［２］本願発明と引用発明との対比（対応関係）
　
　（１）刊行物１に記載された発明（引用発明）
　　
　ア　刊行物１には、前掲した記載(K1.1)〜(K1.10)があり、(K1.1)を技術分野、(K1.2)を従来技術、(K1.3)を解決しようとする課題・目的とするもので、(K1.4)〜(K1.10)記載のようにした、見たい特定のシーンだけを、効率よく蓄積装置を無駄に使用せず自動録画することを可能とする「特定シーンの自動録画装置」が記載されている。
　このうち、前掲(K1.5)〜(K1.8)には、実施の形態として、番組カテゴリとして「格闘技」を登録する場合（図６上）、出演者として「俳優Ａ」と出演者項目「有／無」にして登録する場合（図６下）について、登録データと番組データ（ＥＰＧ図５）との一致をみて録画スケジュールを作成し図３のように録画制御するものが記載されていて、特に後者で「有」と登録した場合、「俳優Ａ」の出演シーンのみ（例えば、図５では17:00-17:40）録画できるように、予め録画スケジュールを作成し、録画スケジュールに従って、その出演シーンのみ録画することが記載されている。（後記する「動的録画制御」に対して、いわば『静的録画制御』と称することができる。）
　そして、前掲(K1.8)に続く前掲(K1.9)（段落【００２３】後半）には、そのような録画制御技術（上記『静的録画制御』）を前提に、これとは一部異なる録画制御技術であって、動的に録画を制御するもの（「動的録画制御するもの」）が記載されており、このものに基づいて、刊行物１記載発明（引用発明）を認定する。
　
　イ　前掲(K1.9)(K1.10)（再掲）
　(K1.9)「また、ディジタル放送では映像とシーンを記述したデータが同時に送られてくる。このデータに番組の情報が付随して送られてくる時、この情報を用いて動的に録画を制御することが可能になる。例えば、野球の中継では自分の見たいバッターがいつ登場してくるかはわからない。自分の見たいバッターだけを録画したい場合、登録手段１０５の登録データの番組カテゴリに“野球”を登録しておく、そして出演者に“バッターＡ”を登録しておく、それが録画スケジュール作成手段１０３によって録画スケジュールが作成される。録画スケジュールは図７に示すように注目シーンに“バッターＡ”が記述される。放送中随時送られてくるデータを利用して録画制御手段がバッターＡの放送の時だけ録画指令を録画手段１０２に出すことでバッターＡのシーンだけを録画可能である。この方法はもちろん野球だけでなく他のライブ放送にも適応可能である。」（段落【００２３】後半）
　(K1.10)「【００２５】前記本実施形態の番組及び特定シーンの自動録画装置によれば、登録手段に見たい番組及びシーンを記述しておくことで、録画スケジュール作成手段が自動でＥＰＧとの比較を行い録画予定番組スケジュールが生成され、録画制御手段によって自動で録画されるので、番組表をチェックしなくても好きな人の出ている番組、見たい番組のカテゴリ、見たい俳優、歌手など本当に見たいところだけを効率よく自動録画することが可能となる。見たい番組、シーンを見逃すことがなくなり番組のスケジュール管理が楽になる。また、見たいシーンのみを録画してあるので、録画後見る番組を検索する必要もない。」
　
　ウ　引用発明（刊行物１記載発明）
　
　（ア）前掲(K1.1)や(K1.2)の「テレビ放送の記録システムとして」から、(K1.9)記載の「ディジタル放送」として「ディジタルテレビ放送」を想定することができる。
　
　（イ）録画予約、およびこれに基づく録画制御は次のようになされる。
　〈番組の登録データ〉
　録画予約は、自分の見たいバッターＡだけを録画したい場合、登録手段１０５により、例えば、番組カテゴリに“野球”を登録すると共に出演者（注目シーン）に“バッターＡ”を登録する。（登録データは、番組カテゴリ＝“野球”，出演者＝“バッターＡ”である。）
　〈録画スケジュール〉
　この登録により、録画スケジュール作成手段１０３は、予め、「開始時間、終了時間、注目シーンとして、それぞれ、19：00，21：00，バッターＡ」（図７）という「録画スケジュ−ル」を作成する。（録画スケジュ−ルは、開始時間＝「19：00」，終了時間＝「21：00」，注目シーン（出演者）＝“バッターＡ”である。）
　この、「録画スケジュ−ル」のうちの、「開始時間19：00」と「終了時間21：00」は、録画スケジュール作成手段が、登録データである『番組カテゴリ＝“野球”』とＥＰＧとを自動で比較して、この番組カテゴリ“野球”に一致する特定の番組（以下、これを“野球番組Ａ”と称することとする。）を特定し、特定した番組“野球番組Ａ”の「開始時間19：00」と「終了時間21：00」を「録画スケジュ−ル」として作成したものであることは明らかである。
　この「録画スケジュ−ル」は、上記図５の『静的録画制御』で作成されるものとは異なる。すなわち、上記『静的録画制御』では、予め、出演者「俳優Ａ」の出演シーンの時刻がＥＰＧの出演者タイムテーブルでわかっているから、その出演する時間だけを、録画スケジュ−ルとして作成できるが、この「動的録画制御するもの」では、予め“バッターＡ”の出演時間はわからないため、“野球番組Ａ”の番組の「開始時間19：00」と「終了時間21：00」と、『注目シーン（出演者）＝“バッターＡ”』を組み合わせて「録画スケジュ−ル」とするものであり、この「開始時間19：00」から「終了時間21：00」の２時間の間にわたって、“野球番組Ａ”のすべての番組映像を「録画」するわけではない。
　〈録画スケジュールと録画制御〉
　「録画制御手段」は、“野球番組Ａ”の現実の放送中、“野球番組Ａ”の映像と共にこれに付随して同時に送られてくる「シーンを記述したデータ」を利用して、バッターＡの放送の時だけ録画指令を録画手段１０２に出すことでバッターＡのシーンだけを録画するようにするところ、
　「シーンを記述したデータ」は、入力手段から取得するものと想定され、
　「シーンを記述したデータ」と「録画スケジュール」のうちの予め登録した『注目シーン（出演者）“バッターＡ”』との一致を検出し、
　その一致が検出された“バッターＡ”のシーンの映像のみを録画手段（１０２）に記録されるように制御するものといえる。
　
　以上のことから、本願発明と対比する引用発明として、下記の発明を認定することができる。
　
　　　　　　　記（引用発明）
　映像と映像に付随して「シーンを記述したデータ」が同時に送られてくるディジタルテレビ放送において、「シーンを記述したデータ」を用いて、自分の見たい番組の特定のシーンだけを、蓄積装置を無駄に使用することなく、自動的に動的に録画することを可能とするため、以下の機能・動作をする、登録手段、録画スケジュール作成手段、入力手段、録画制御手段、録画手段を備える記録装置。
　〈登録手段〉
　登録手段（１０５）により、自分の見たいバッターＡだけを録画したい場合、番組カテゴリ（例えば、“野球”）を登録すると共に、見たい注目シーン（出演者）（例えば、“バッターＡ”）を予め登録する。
　〈録画スケジュール作成手段〉
　録画スケジュール作成手段（１０３）は、予め登録した番組カテゴリ（“野球”）とＥＰＧとを自動で比較して、この番組カテゴリ（“野球”）に一致する特定の番組（以下、“野球番組Ａ”とする。）を特定し、特定した番組（“野球番組Ａ”）の「開始時間（19：00）と終了時間（21：00）」と、予め登録した見たい「注目シーン（出演者）“バッターＡ”」を「録画スケジュ−ル」とする。
　〈入力手段〉
　入力手段は、ディジタルテレビ放送で送られてくる映像と映像に付随して同時に「シーンを記述したデータ」を入力する。
　〈録画制御手段〉
　録画制御手段は、ディジタルテレビ放送で送られてくる“野球番組Ａ”の現実の放送中、“野球番組Ａ”の映像と共にこれに付随して同時に送られてくる「シーンを記述したデータ」を入力手段より取得して、「シーンを記述したデータ」と「録画スケジュール」のうちの予め登録した「注目シーン（出演者）“バッターＡ”」との一致を検出し、
　その一致が検出された“バッターＡ”のシーンの映像のみが録画手段（１０２）に記録されるように制御する。
　
　（２）本願発明と引用発明との対比（対応関係）
　
　ア　「放送チャンネルごとに送出されるコンテンツデータと、上記コンテンツデータを形成するそれぞれ異なった内容を有するとされるデータ部分に対応してその内容を示す分類識別情報とを受信する受信手段」について
　
　（ａ）「放送チャンネルごとに送出されるコンテンツデータ」
　引用発明の「デジタルテレビ放送で送られてくる映像」は、番組の「コンテンツ」として送られてくる映像であり、デジタルテレビ放送であるから「映像
データ
　「送出されるコンテンツデータ」といい得るものであり、この点では本願発明と相違はないが、「放送チャンネルごとに送出される」とはしておらず、この点相違が認められる。
　
　（ｂ）「上記コンテンツデータを形成するそれぞれ異なった内容を有するとされるデータ部分に対応してその内容を示す分類識別情報」
　上記のように特定される本願発明の「分類識別情報」は、記録させるか否かを制御するのに使用する識別情報といえるところ、
　引用発明の「シーンを記述したデータ」も、「コンテンツ（映像）データ」の内の一部のデータ部分に対応するもので、その一部とそれ以外の部分を識別し得るものであって、記録させるか否かを制御するのに使用する識別情報、すなわち、「上記コンテンツデータのデータ部分に対応する識別情報であって、記録させるか否かを制御するのに使用する識別情報」といい得るものである。
　したがって、引用発明の「シーンを記述したデータ」は、「上記コンテンツデータのデータ部分に対応する識別情報であって記録させるか否かを制御するのに使用する
識別情報
　
　（ｃ）「コンテンツデータと分類識別情報とを受信する受信手段」
　引用発明では、「入力手段１０１」により、ディジタルテレビ放送で送られてくる映像（上記「送出されるコンテンツデータ」）と「シーンを記述したデータ」を入力するとしているところ、この動作は「受信」といいえることは明らかであり、したがって、引用発明も「上記コンテンツデータと上記
識別情報
　
　（ｄ）まとめ
　以上によれば、本願発明と引用発明とは、「送出されるコンテンツデータと、上記コンテンツデータのデータ部分に対応する識別情報であって記録させるか否かを制御するのに使用する識別情報とを受信する受信手段」を備えている点では相違が無く、
　「送出されるコンテンツデータ」を、
　本願発明では、「放送チャンネルごとに送出される」とするのに対して、
　引用発明では、そのようにするとはしていない点、および、
　「受信手段が受信する、上記コンテンツデータのデータ部分に対応する識別情報であって記録させるか否かを制御するのに使用する識別情報」を、
　本願発明では、「上記コンテンツデータを形成するそれぞれ異なった内容を有するとされるデータ部分に対応してその内容を示す分類識別情報」とするのに対して、
　引用発明では、「シーンを記述したデータ」であって、そのような分類識別情報とはしていない点、で相違する。
　
　イ　「録画予約された番組情報に基づき所定の放送時間に所定の放送チャンネルの上記コンテンツデータと上記分類識別情報との受信が行われるように上記受信手段を制御する受信制御手段と、」について
　
  （ａ）本願発明
　本願発明の上記特定事項は、明細書の記載
　｛「上記のようにしてジャンルやキーワードの指定による自動録画を行って、受信する番組を絞った上で、該当する分類コードの付加されたコンテンツ部分のみを録画するという動作を実行させることととする。つまり、分類コード録画を行うに先立ち、先ずユーザーは自動録画を行うための録画予約設定を行って、番組単位による予約録画設定を行う。」（段落【００４０】）、
　「番組単位での録画予約が行われる」（段落【００４１】）、
　「ユーザーによりジャンルが指定されるのに応じては、記録装置１０において、先ずＥＰＧ上のこのジャンルに属する番組が検索される。そして、検索した番組の番組情報（放送チャンネルや放送時間）を取得して、これを例えばＲＯＭ１７に保持されている録画予約リストに登録することにより、ジャンル指定自動録画のための録画予約が行われる。」（段落【００４３】）、
　「指定された「ニュース」のジャンルに応じたジャンル指定自動録画が行われることにより、この「ニュース」のジャンルに属する番組のみについて受信動作が行われるようになる。その上で、受信される番組のコンテンツデータから抽出される分類コードと、上記指定された「株価ニュース」に対応する分類コードとの一致を検出するようにされる。」（段落【００４５】）等｝
　に照らせば、
　ユーザにより指定されたジャンルやキーワードに合致する（属する）番組をＥＰＧ上で検索し、検索して得た当該番組の放送チャンネルと放送時間を取得して、取得した放送チャンネルと放送時間（番組情報）を録画予約リストとする番組単位による予約録画設定を行い、録画予約された番組について受信動作（コンテンツデータと分類識別情報の受信）が行われるようにすることに対応するものであって、
　上記特定事項の「所定の放送時間」，「所定の放送チャンネル」は、録画予約された「番組」の放送時間・放送チャンネル（予約された「番組」の「番組情報」）をいうものである。つまり、「録画予約された番組情報」とは、「録画予約された
番組の
　上記のように特定する「受信制御手段」は、要すれば、
「受信手段」を、録画予約された番組について受信動作が行われるようにしておくための手段
　　
　（ｂ）引用発明
　一方、引用発明でも、予め登録した番組カテゴリ“野球”とＥＰＧとから番組カテゴリ“野球”に一致する“野球番組Ａ”を得ており、当該“野球番組Ａ”の「開始時間（19：00）と終了時間（21：00）」を「録画スケジュ−ル」（の一部）とするところ、この「開始時間（19：00）と終了時間（21：00）」は、本願発明でいう「録画予約された番組情報」といえ、
　開始時間（19：00）から終了時間（21：00）の間の時間は、“野球番組Ａ”の放送時間であって、
「録画予約された番組情報」に基づいて決まる「所定の放送時間」ということができる。
　上記の検出をする上で、“野球番組Ａ”の現実の放送中、（すなわち、録画予約された番組情報に基づいて決まる所定の放送時間）、送られてくる野球番組Ａ”の映像（コンテンツデータ）と共に「シーンを記述したデータ」（識別情報）を受信することは必須であるから、
上記（２）アで引用発明も備えると認定した上記「受信手段」
“野球番組Ａ”について受信動作が行われるようにされていなければならず、
受信手段を、録画予約された番組について受信動作が行われるようにしておくための手段
録画予約された番組情報に基づいて決まる所定の放送時間、上記コンテンツデータと上記識別情報との受信が行われるように上記受信手段をしておくための手段
　
　（ｃ）比較
　以上によれば、本願発明と引用発明は、
　
受信手段を、番組予約された番組について受信動作が行われるようにしておくための手段
　同手段が、
　本願発明では、
　録画予約された番組情報に基づき所定の放送時間に所定の放送チャンネルの上記コンテンツデータと上記分類識別情報との受信が行われるように上記受信手段を制御する受信制御手段であるのに対して、
　引用発明では、
　録画予約された番組情報に基づいて決まる所定の放送時間、上記コンテンツデータと上記識別情報との受信が行われるように上記受信手段をしておくための手段である点、
　で相違する。
　
　ウ　「上記受信手段により受信される分類識別情報と、予め指定された分類識別情報との一致を検出する検出手段」、「上記受信手段により受信されるコンテンツデータのうち、上記検出手段により一致が検出された分類識別情報に対応するデータ部分のみが記憶手段に対して記録されるよう制御する記録制御手段」について
　上記（１）、（２）イ（ｂ）でした考察より、引用発明も、「上記受信手段により受信される識別情報と、予め指定された識別情報との一致を検出する検出手段」を備えるといい得ること、
　「上記受信手段により受信されるコンテンツデータのうち、上記検出手段により一致が検出された識別情報に対応するデータ部分のみが記憶手段に対して記録されるよう制御する記録制御手段と、
  　を備える記録装置。」を備えるといい得ること、
　以上は明らかであり、これらの点では本願発明と相違はないものの、
　前記（２）ア（ｂ）のとおりの相違｛引用発明の「識別情報」（シーンを記述したデータ）と本願発明の「分類識別情報」との相違｝に伴う相違、
　すなわち、「検出手段」が一致を検出する、予め指定された「識別情報」が、
　本願発明では、そのような「分類識別情報」とするのに対して、
　引用発明では、「シーンを記述したデータ」であって、そのような分類識別情報とはしていない、という相違が生じる。
　
［３］一致点・相違点
　以上の対比結果によれば、本願発明と引用発明との一致点および相違点は、下記のとおりである。 
 　 
　　　　　　　　記（一致点）  
　
送出される
識別情報
　
受信手段を、録画予約された番組について受信動作が行われるようにしておくための手段
　上記受信手段により受信される
識別情報
識別情報
　上記受信手段により受信されるコンテンツデータのうち、上記検出手段により一致が検出された
識別情報
  　を備える記録装置。
　
　　　　　　　　記（相違点）
　［相違点１］
　「受信手段が受信する、上記コンテンツデータのデータ部分に対応する識別情報であって記録させるか否かを制御するのに使用する識別情報」を、
　本願発明では、「上記コンテンツデータを形成するそれぞれ異なった内容を有するとされるデータ部分に対応してその内容を示す分類識別情報」とするのに対して、
　引用発明では、「シーンを記述したデータ」であって、そのような分類識別情報とはしていない点。
　
　この相違に伴い、「検出手段」が一致を検出する、予め指定された「識別情報」が、
　本願発明では、そのような「分類識別情報」とするのに対して、
　引用発明では、「シーンを記述したデータ」であって、そのような分類識別情報とはしていない、
　という相違が生じる。
　
　［相違点２］
　上記「送出されるコンテンツデータ」を、
　本願発明では、「放送チャンネルごとに送出される」とするのに対して、
　引用発明では、そのようにするとはしていない点。
　
　［相違点３］
　上記「
受信手段を、番組予約された番組について受信動作が行われるようにしておくための手段
　本願発明では、
　録画予約された番組情報に基づき所定の放送時間に所定の放送チャンネルの上記コンテンツデータと上記分類識別情報との受信が行われるように上記受信手段を制御する受信制御手段であるのに対して、
　引用発明では、
　録画予約された番組情報に基づいて決まる所定の放送時間、上記コンテンツデータと上記識別情報との受信が行われるように上記受信手段をしておくための手段である点。
　
［４］相違点等の判断
　
　〈相違点の克服〉
　
　〈［相違点１］の克服〉
　引用発明の、「受信手段が受信する、上記コンテンツデータのデータ部分に対応する識別情報であって記録させるか否かを制御するのに使用する識別情報（シーンを記述したデータ）」、および、
　「検出手段」が一致を検出する、予め指定された「識別情報（シーンを記述したデータ）」を、
　「コンテンツデータを形成するそれぞれ異なった内容を有するとされるデータ部分に対応してその内容を示す分類識別情報」とすることで、上記［相違点１］は克服され、これにより、
　引用発明の「検出手段」は、受信手段により受信される「分類識別情報」と、予め指定された「分類識別情報」との一致を検出することとなり、
　引用発明の「記録制御手段」が、上記受信手段により受信されるコンテンツデータのうち、上記検出手段により一致が検出された「分類識別情報」に対応するデータ部分のみが記憶手段に対して記録されるよう制御することとなる。
　
　〈［相違点２］の克服〉
　引用発明が受信する「送出されるコンテンツデータ」を、「放送チャンネルごとに送出されるコンテンツデータ」とすることで、上記［相違点２］は克服される。
　
　〈［相違点３］の克服〉
　引用発明の「
受信手段を、番組予約された番組について受信動作が行われるようにしておくための手段
　録画予約された番組情報に
基づき
所定の放送チャンネルの
分類
制御する受信制御手段
　
　そして、以上の克服により、本願発明に到達する。
　
　〈相違点の克服の容易想到性〉
　
　（１）［相違点１］の克服
　
　（ａ）刊行物２（特開２００２−１２５２０４号公報）
　刊行物２には、前掲(K2.1)〜(K2.4)があり、(K2.1)を従来技術、(K2.2)を解決しようとする課題・目的とし、概要を(K2.3)、詳細を(K2.4)のようにすることが記載されており、特に、(K2.4)、図１によれば、
　全１時間の番組を、オープニングコーナー(イベントＡとする)、中間部に議論・討論コーナー（イベントＢとする）、最後にエンディングコーナー(イベントＣとする)と３つのイベントに分け、送信側では、放送中、イベントＡ、Ｂ、Ｃの放送期間中、イベントＡ、Ｂ、Ｃそれぞれに対応しこれらを識別するイベント情報（Ｐｉｃ○１、Ｐｉｃ○２、Ｐｉｃ○３）を映像に付加して送信し、受信側では、これを受信し、録画すると設定したイベント情報（例えば、Ｐｉｃ○２）に一致したイベント情報（例えば、Ｐｉｃ○２）の付加された映像のみを記録する技術が記載されている。
　この「イベント情報」（Ｐｉｃ○１、Ｐｉｃ○２、Ｐｉｃ○３）は、本願発明でいう「コンテンツデータを形成するそれぞれ異なった内容を有するとされるデータ部分に対応してその内容を示す分類識別情報」といい得るものであり、本願発明や引用発明と同様、これを受信する点、予め指定された識別情報との一致を検出する点、受信されるコンテンツデータのうち、上記一致が検出された識別情報に対応するデータ部分のみが記憶手段に対して記録されるよう制御する点でも同じである。
　
　（ｂ）刊行物３：特開２０００−２５０９４４号公報
　刊行物３には、前掲(K3.1)〜(K3.6)があり、特に、(K3.4)、図４によれば、
　番組のタイトル毎に映像を時間（フレーム）で分割し、その間に出現した重要なキーワード（属性）が付与されたテーブルとしておき、特定のキーワード（属性）が付与された映像区間のみを録画再生の為に抽出でき、もって、ユーザが真に必要とする部分映像のみを録画再生可能とする技術が記載されている。
　この特定のキーワード（属性）は、本願発明でいう「コンテンツデータ（１番組）を形成するそれぞれ異なった内容を有するとされるデータ部分に対応してその内容を示す分類識別情報」、といい得るものである。
　
　（ｃ）容易性判断
　上記［相違点１］の克服は、刊行物２や刊行物３を参照して当業者が容易になし得ることである。
　すなわち、引用発明の、「受信手段が受信する、上記コンテンツデータのデータ部分に対応する識別情報であって記録させるか否かを制御するのに使用する識別情報（シーンを記述したデータ）」、および、
　「検出手段」が一致を検出する、予め指定された「識別情報（シーンを記述したデータ）」を、
　「コンテンツデータを形成するそれぞれ異なった内容を有するとされるデータ部分に対応してその内容を示す分類識別情報」とすることは、刊行物２や刊行物３を参照して、当業者が容易になし得ることである。
　そして、このようにすることにより、
　引用発明の「検出手段」は、受信手段により受信される「分類識別情報」と、予め指定された「分類識別情報」との一致を検出することとなり、
　引用発明の「記録制御手段」が、上記受信手段により受信されるコンテンツデータのうち、上記検出手段により一致が検出された「分類識別情報」に対応するデータ部分のみが記憶手段に対して記録されるよう制御することとなることは前記のとおりである。
　
　（２）［相違点２］の克服
　引用発明の「
送出される
　
　（３）［相違点３］の克服
　
　（ａ）〈周知事項〉
　一般に、番組録画予約機能を有するテレビ放送番組記録装置として周知にすぎない、テレビ放送受信手段（チューナ）付きＶＴＲは、
　
放送チャンネルごとに
　例えば、録画予約された所定の放送時間になると電源をＯＮとし、かつ、受信手段を録画予約された所定の放送チャンネルが選局されるようにする等の、録画予約された番組情報（所定の放送時間、所定のチャンネル）に基づき所定の放送時間に
所定の放送チャンネルの
　
　（ｂ）〈容易性判断〉
　上記［相違点３］の克服は、上記周知事項を参照して当業者が容易になし得ることである。
　すなわち、
　引用発明の「
受信手段を、番組予約された番組について受信動作が行われるようにしておくための手段
基づき
制御する受信制御手段
　また、上記「（２）［相違点２］の克服」で判断したように、引用発明における「ディジタルテレビ放送」でも、コンテンツデータが
放送チャンネルごとに
　本願発明が特定するように『
所定の放送チャンネルの
所定の放送チャンネルの
　そして、上記（１）で当業者容易想到と判断した、［相違点１］の克服をするとき、受信制御手段を、「シーンを記述したデータ」ではなく、そのような「分類識別情報」の受信が行われるように「受信手段」を制御するようにすることも、当然というべき事項にすぎない。
　以上によれば、上記［相違点３］の克服は、当業者が容易になし得ることである。
　
　（４）まとめ
　そして、引用発明を出発点として、上記［相違点１］の克服と、上記［相違点２］の克服と、上記［相違点３］の克服を合わせて行うことで、本願発明に達するところ、これらの克服を合わせて行うことも当業者が容易になし得ることである。また、本願発明は、全体としても、刊行物１〜３および周知事項から当業者が予測し得ない格別顕著な効果を奏し得るものともいえない。
　
［５］まとめ（当審の判断）　
　以上のように、本願発明は、刊行物１〜３記載の発明および周知事項に基づいて当業者が容易に想到し得るものであり、その効果も、刊行物１〜３および周知事項から当業者が予測し得る範囲内のものである。
　
【第５】むすび
　以上のとおり、請求項２に係る発明は、刊行物１に記載された発明，刊行物２に記載された発明，刊行物３に記載された発明および周知事項に基づいて当業者が容易に発明をすることができたものであるから、特許法第２９条第２項の規定により特許を受けることができない。
　
　したがって、残る請求項１，３〜１０について特に検討するまでもなく、本願は拒絶をすべきものである。
　
　よって、結論のとおり審決する。